(57)【要約】【課題】停電時に、バックアップ動作時間を引き延ばしつつ、在室者が残っている区画やセキュリティレベルの高い区画は最後まで監視することができるようにしたセキュリティシステムを提供する。【解決手段】ＩＤカード６に記憶された認証用データを読み込んで認証を行い、電気錠５の施錠および解錠を行うカードリーダ４と、停電時に電気錠５およびカードリーダ４に対して電力を提供するバックアップ用のバッテリー３と、バッテリー３のバッテリー残量を監視して、バッテリー残量が一定値以下になった場合に、セキュリティレベルの低い区画あるいは在室者のいない区画から順にカードリーダ４および電気錠５への電力供給を停止させるＣＰＵ２とを備えている。【選択図】図３
2009009268.tif 000002
【特許請求の範囲】
【請求項１】
電気錠により所定区画への通行を管理するセキュリティシステムであって、
認証用データが入力されて、前記電気錠の施錠および解錠を行う認証手段と、
電源からの電力の供給が停止した場合に、前記電気錠および前記認証手段に対して電力を提供するバックアップ用のバッテリーと、
前記バッテリーのバッテリー残量を検出するバッテリー残量検出手段と、
前記バッテリー残量検出手段により前記バッテリー残量が一定値以下になったことが検出された場合に、予め設定された所定の順番に従って、前記認証手段および前記電気錠への電力供給を停止させる停止手段と
を備えたことを特徴とするセキュリティシステム。
【請求項２】
前記認証手段の認証結果に基づいて得られる前記区画への入退室の履歴を記憶する履歴情報記憶手段と、
前記履歴情報記憶手段に記憶された前記入退室の履歴に基づいて、在室者がいない区画を検出する在室者検出手段と
をさらに備え、
前記停止手段は、前記在室者検出手段の検出結果に基づいて、前記所定の順番として、在室者がいない区画から順に、電力供給を停止させる
ことを特徴とする請求項１に記載のセキュリティシステム。
【請求項３】
前記各区間に対して予め設定されたセキュリティレベルを記憶するセキュリティレベル記憶手段をさらに備え、
前記停止手段は、前記セキュリティレベル記憶手段に記憶された前記セキュリティレベルに基づいて、前記所定の順番として、セキュリティレベルの低い区画から順に、電力供給を停止させることを特徴とする請求項１に記載のセキュリティシステム。
【請求項４】
前記認証手段は、入室側と退室側との両方に設けられていることを特徴とする請求項１ないし３のいずれか１項に記載のセキュリティシステム。
【発明の詳細な説明】
【技術分野】
【０００１】
この発明はセキュリティシステムに関し、特に、敷地内やビル内の通行を管理するセキュリティシステムに関するものである。
【背景技術】
【０００２】
従来のセキュリティシステムは、正常時には所定の電源から電力が供給されて動作しているが、停電等によって電源供給が遮断された場合には、予め備えられているバッテリーなどから電力を供給することにより、内部メモリのデータを保護したり、あるいは、システムの動作を維持したりしている（例えば、特許文献１参照）。
【０００３】
図５は、従来のセキュリティシステムの典型例であり、１０１はセキュリティシステム全体を制御しているコントローラ、１０２はコントローラ内のＣＰＵ、１０３は停電時に使用されるバッテリー、１０４はビル等の出入口に設けられたカードリーダ、１０５は出入口のドアの施錠および解錠を行う電気錠、１０６はＩＤカード、１０７はバッテリー１０３からコントローラ１０１ヘ電力を供給する電力線、１０８はコントローラ１０１からカードリーダ１０４や電気錠１０５へ電力を供給する電力線、１０９はこのようなセキュリティシステムで入退室を監視された区画１、１１０はこのようなセキュリティシステムで入退室を監視された区画２である。
【０００４】
このような構成において、従来のセキュリティシステムでは、正常時には所定の電源から電力が供給されているが、停電時には、バッテリー１０３から電力が供給されてシステムの動作を維持する。しかしながら、上述のように、バッテリー容量からバックアップ動作時間には限界があり、バックアップ動作時間が一定時間経過すると、カードリーダ１０４や電気錠１０５が動作できなくなり、電気錠１０５が解錠された状態で電力がストップすると、出入口は開いたままとなり、逆に、電気錠１０５が施錠された状態で電力がストップすると、区画１０９や区画１１０内にいる人は外へ出られなくなる等の不都合が生じ、システム全体のセキュリティが一気にダウンする。
【０００５】
【特許文献１】特開２００５−２３４９６７号公報
【発明の開示】
【発明が解決しようとする課題】
【０００６】
上述したように、従来のセキュリティシステムでは、停電時にバッテリー１０３などから電力を供給してバックアップ動作に切り替わるが、バッテリー容量からバックアップ動作時間には限界があり、バックアップ動作時間が一定時間経過するとシステム全体のセキュリティが一気にダウンしてしまうという問題点があった。
【０００７】
この発明はかかる問題点を解決するためになされたものであり、停電時のバックアップ動作に切り替わると、コントローラに設けられたＣＰＵの制御により、システム全体の消費電力を抑え、システムの動作時間を引き延ばすことが可能なセキュリティシステムを得ることを目的とする。
【課題を解決するための手段】
【０００８】
この発明は、電気錠により所定区画への通行を管理するセキュリティシステムであって、認証用データが入力されて、前記電気錠の施錠および解錠を行う認証手段と、電源からの電力の供給が停止した場合に、前記電気錠および前記認証手段に対して電力を提供するバックアップ用のバッテリーと、前記バッテリーのバッテリー残量を検出するバッテリー残量検出手段と、前記バッテリー残量検出手段により前記バッテリー残量が一定値以下になったことが検出された場合に、予め設定された所定の順番に従って、前記認証手段および前記電気錠への電力供給を停止させる停止手段とを備えたセキュリティシステムである。
【発明の効果】
【０００９】
この発明は、電気錠により所定区画への通行を管理するセキュリティシステムであって、認証用データが入力されて、前記電気錠の施錠および解錠を行う認証手段と、電源からの電力の供給が停止した場合に、前記電気錠および前記認証手段に対して電力を提供するバックアップ用のバッテリーと、前記バッテリーのバッテリー残量を検出するバッテリー残量検出手段と、前記バッテリー残量検出手段により前記バッテリー残量が一定値以下になったことが検出された場合に、予め設定された所定の順番に従って、前記認証手段および前記電気錠への電力供給を停止させる停止手段とを備えたセキュリティシステムであるので、停電時のバックアップ動作に切り替わると、コントローラに設けられたＣＰＵの制御により、システム全体の消費電力を抑え、システムの動作時間を引き延ばすことができる。
【発明を実施するための最良の形態】
【００１０】
実施の形態１．
図１は、この発明の実施の形態１に係るセキュリティシステムの構成を示す図である。本実施の形態に係るセキュリティシステムは、電気錠により、所定区画への通行を管理するセキュリティシステムである。
【００１１】
図１において、１はセキュリティシステム全体を制御しているコントローラ、２はコントローラ１内に設けられたＣＰＵ、３は停電時に使用されるバックアップ用のバッテリー、４はセキュリティ制御対象の区画の出入口に設けられたカードリーダ、５は当該出入口のドアの施錠及び解錠を行う電気錠、６はユーザが携帯し、出入口通行時にカードリーダ４によってデータが読み取られるユーザ認証に用いられるＩＤカード、７はバッテリー３からコントローラ１ヘ電力を供給する電力線、８はコントローラ１からカードリーダ４や電気錠５などへ電力を供給する電力線、９はこのようなセキュリティシステムで制御される区画１、１０はこのようなセキュリティシステムで制御された区画２である。なお、図１の例では、区画が２つだけの場合を示しているが、これは一例であり、区画の数は任意の個数でよいものとする。
【００１２】
次に、実施の形態１に係るセキュリティシステムの動作について説明する。この発明のセキュリティシステムは、正常時には所定の電源（図示省略）から電力がコントローラ１に供給されて、コントローラ１から電力線８を介してカードリーダ４や電気錠５などへ電力が供給されて、それらが動作している。ユーザはＩＤカード６を携帯しており、区画１（符号９）あるいは区画２（符号１０）に入る場合には、ＩＤカード６に記憶されている認証用データをカードリーダ４により読み込ませる。当該認証用データはコントローラ１に送信され、ＣＰＵ２により、コントローラ１内のメモリ（図示省略）に予め登録されている登録データと照合され、それらが一致した場合に、ＣＰＵ２の制御により、電気錠５が解錠される。また、解錠後、所定時間が経過した時点で、電気錠５は自動的に施錠される。これにより、制御対象となっている区画１（符号９）及び区画２（符号１０）のセキュリティが確保される。本実施の形態１においては、カードリーダ４とＣＰＵ２とが、認証用データが入力されて、電気錠５の施錠および解錠を行う認証手段を構成している。なお、認証手段として、ＩＤカード６の認証用データを読み取るカードリーダ４ではなく、テンキー等の入力装置による暗証番号の入力によって認証を行ってもよく、あるいは、ユーザの指紋や虹彩等の画像データをスキャンして、それと登録されたイメージデータとを照合して本人確認を行う生体認証を行うようにしてもよい。
【００１３】
しかしながら、停電等の原因により電力の供給が停止した時（以下、まとめて停電時と呼ぶ。）には、バッテリー３から電力線７を介してコントローラ１に電力が供給されて、そこから、電力線８を介して、カードリーダ４や電気錠５に電力が供給されて、システムの動作を維持する。なお、この停電時においては、ＣＰＵ２は、バッテリー３内の残量を常に（あるいは、所定周期で）監視し、残量が一定値以下になったことを検出すると、予め設定された所定の順番に従って、コントローラ１からの指令信号により、カードリーダ４や電気錠５への電力供給をストップさせる。例えば、所定の順番が、区画１（符号９）から電力供給をストップさせるように設定されていた場合には、コントローラ１は、バッテリー３内の残量が一定値以下になったことを検出すると、区画１（符号９）のカードリーダ４や電気錠５への電力供給をストップする。これにより、システム全体の消費電力が低くなるため、区画２（符号１０）の動作時間を引き延ばすことができる。
【００１４】
なお、所定の順番としては、例えば、セキュリティレベルの低い区画から順に電力供給をストップするようにしてもよく、あるいは、使用頻度の履歴に基づいて使用頻度の低い区画から順に電力供給をストップするようにしてもよい。
【００１５】
以上のように、本実施の形態１においては、バックアップ動作中にバッテリー残量が一定値以下になると、予め設定された所望の所定の順番に従って、コントローラ１からカードリーダ４や電気錠５などの端末への電力供給をストップさせるようにしたので、システム全体の消費電力を抑え、システムの動作時間を引き延ばすことが可能であるため、例えば、セキュリティレベルの高い区画や使用頻度の高い区画等は最後まで監視をすることができ、セキュリティ性、利便性、効率性の向上を図ることができる。
【００１６】
実施の形態２．
上述の実施の形態１においては、所定の順番で電力供給のストップを行う例について説明したが、本実施の形態２においては、入退室の履歴を確認して在室者がゼロの区画から電力供給をストップする例について説明する。図２は、本実施の形態２に係るセキュリティシステムの構成を示す図である。図２において、符号１〜１０は、図１と同じものであるため、同一符号を付して示し、ここでは説明を省略する。なお、図２において、１１は区画１（符号９）あるいは区画２（符号１０）内の在室者である。
【００１７】
次に、実施の形態２に係るセキュリティシステムの動作について説明する。以下では、区画１（符号９）に在室者１１がいる場合について説明する。
【００１８】
本実施の形態においては、カードリーダ４による認証結果に基づいて得られる各区画への入退室の履歴が、カードリーダ４内のメモリ（図示省略）（あるいは、コントローラ１内のメモリ（図示省略））に記憶されている。そのため、ＣＰＵ２は、カードリーダ４内の履歴（あるいは、コントローラ１内のメモリの履歴）をチェックすることにより、各区画（区画１（符号９）及び／または区画２（符号１０））に在室者１１がいるかいないかを検出し確認することができる。
【００１９】
ＣＰＵ２は、停電時に、バッテリー３内の残量が一定値以下を検出すると、各区画の在室者の有無を確認する。図２の場合、区画１（符号９）に在室者１１がいるので、ＣＰＵ２は、カードリーダ４内の履歴（あるいは、コントローラ１内のメモリの履歴）に基づいて、在室者１１が区画１（符号９）にいることを確認するとともに、区画２（符号１０）には在室者がいないことを確認する。これにより、ＣＰＵ２は、在室人数がゼロの区画２（符号１０）のカードリーダ４および電気錠５への電力供給をストップする。この結果、システム全体の消費電力が低くなるため、在室者１１がいる区画１（符号９）の動作時間を引き延ばすことができる。
【００２０】
なお、他の動作については、上述の実施の形態１と同じであるため、ここでは説明を省略する。
【００２１】
以上のように、本実施の形態２におけるセキュリティシステムでは、入退室の履歴を確認して、在室者がいない区画から電力供給をストップするようにしたので、在室者が残っている区画の動作時間を引き延ばすことが可能である。これにより、必要レベルのセキュリティ性を確保しながら、システム全体の消費電力を抑え、システムの動作時間を引き延ばすことができる。
【００２２】
実施の形態３．
図３は、本実施の形態３に係るセキュリティシステムの構成を示す図である。図３において、符号１〜８は図１と同じものであり、１２はセキュリティレベルの高い区画３、１３はセキュリティレベルの低い区画４である。
【００２３】
本実施の形態３に係るセキュリティシステムの動作について説明する。本実施の形態においては、ＣＰＵ２が、バッテリー３の残量に従って、セキュリティレベルの低い区画から順に、電力の供給をストップする例について説明する。
【００２４】
本実施の形態においては、予め、セキュリティレベル（高、中、低など）を各区画に対して設定しておき、各区画ごとにセキュリティレベルの情報をコントローラ１内のメモリに記憶しておく。本実施の形態においては、上述したように、区画３（符号１２）をセキュリティレベルの高い区画、区画４（符号１３）をセキュリティレベルの低い区画として設定している。ＣＰＵ２は、停電時に、バッテリー３内の残量が一定値以下になったことを検出すると、セキュリティレベルの低い区画４（符号１３）のカードリーダ４や電気錠５への電力供給をストップする。この結果、システム全体の消費電力が低くなるため、セキュリティレベルの高い区画３（符号１２）の動作時間を引き延ばすことができる。
【００２５】
上記の説明においては、区画が２つの場合を説明したため、セキュリティレベルが２段階であるが、区画が３以上の場合には、セキュリティレベルも３以上とすることができる。その場合には、バッテリー３の残量が、第１のしきい値以下になった場合に、最も低いセキュリティレベルの区画に設置されている電気錠５等の端末への電力供給をストップし、次に、バッテリー３の残量が、第１のしきい値よりも低い第２のしきい値以下になった場合に、２番目に低いセキュリティレベルの区画に設置されている電気錠５等の端末への電力供給をストップするというように、セキュリティレベルに従って、順に、電力供給をストップさせていけばよい。
【００２６】
なお、他の動作については、上述の実施の形態１と同じであるため、ここでは説明を省略する。
【００２７】
以上のように、本実施の形態３におけるセキュリティシステムでは、予め区画ごとのセキュリティレベルが設定されており、セキュリティレベルの低い区画から電力供給をストップするようにしたので、レベルの高い区画の動作時間を引き延ばすことが可能である。これにより、必要レベルのセキュリティ性を確保しながら、システム全体の消費電力を抑え、システムの動作時間を引き延ばすことができる。
【００２８】
実施の形態４．
図４は、本実施の形態４に係るセキュリティシステムの構成を示す図である。図４において、符号１〜３，５〜１０は図１と同じものであり、２１は入室側のカードリーダであり、出入口のドアの外側に設けられており、２２は退室側のカードリーダであって、出入口のドアの内側に設けられているものである。
【００２９】
次に、本実施の形態４に係るセキュリティシステムの動作を説明する。ＣＰＵ２が、停電時に、バッテリー３内の残量が一定値以下になったことを検出すると、入室側のカードリーダ２１（もしくは退室側のカードリーダ２２）への電力供給をストッブする。この結果、システム全体の消費電力が低くなるため、パックアップ動作時間を引き延ばすことができる。
【００３０】
なお、上述の実施の形態１で示したように、予め設定した所定の順番で、各入室側のカードリーダ２１もしくは退室側のカードリーダ２２への電力供給をストップしてもよく、あるいは、上述の実施の形態３で示したように、各区画ごとに予めセキュリティレベルを設定しておき、セキュリティレベルの低い区画の順に、各入室側のカードリーダ２１もしくは退室側のカードリーダ２２への電力供給をストップしてもよい。
【００３１】
また、上述の実施の形態２で示したように、ＣＰＵ２は、カードリーダ４内の履歴（あるいは、コントローラ１内のメモリの履歴）をチェックすることにより、各区画に在室者がいるかいないかを検出し確認することができるようにしておき、在室者がいる区画に対しては、その在室者が外に出られるように、入室側のカードリーダ２１への電力供給はストップしても、退室側のカードリーダ２２への電源供給は行うようにし、一方、在室者がいない区画に対しては不審者の入室を妨げることができるように、入室側のカードリーダ２１への電力供給をストップさせるようにする。この場合、退室側のカードリーダ２２についても電力供給は不要であるため、それへの電力供給もストップさせてもよい。
【００３２】
以上のように、本実施の形態４におけるセキュリティシステムでは、入室側と退室側にカードリーダがそれぞれ設定されており、バッテリー３の残力に従って、入室側もしくは退室側のカードリーダヘの電力供給をストップして、システム全体の電力の消費を抑え、システムの動作時間を引き延ばすことが可能である。これにより、必要レベルのセキュリティ性を確保しながら、システム全体の消費電力を抑え、システムの動作時間を引き延ばすことができる。
【図面の簡単な説明】
【００３３】
【図１】この発明の実施の形態１によるセキュリティシステムの構成を示す構成図である。
【図２】この発明の実施の形態２によるセキュリティシステムの構成を示す構成図である。
【図３】この発明の実施の形態３によるセキュリティシステムの構成を示す構成図である。
【図４】この発明の実施の形態４によるセキュリティシステムの構成を示す構成図である。
【図５】従来のセキュリティシステムの構成を示す構成図である。
【符号の説明】
【００３４】
１  コントローラ、２  ＣＰＵ、３  バッテリー、４  カードリーダ、５  電気錠、６  ＩＤカード、７  電力線、８  電力線、９  区画１、１０  区画２、１１  在室者、１２  区画３、１３  区画４、２１  入室側のカードリーダ、２２  退室側のカードリーダ、１０１  コントローラ、１０２  ＣＰＵ、１０３  バッテリー、１０４  カードリーダ、１０５  電気錠、１０６  ＩＤカード、１０７  電力線、１０８  電力線、１０９  区画１、１１０  区画２。
【図１】
2009009268.tif 000003
【図２】
2009009268.tif 000004
【図３】
2009009268.tif 000005
【図４】
2009009268.tif 000006
【図５】
2009009268.tif 000007